(57)【要約】  本発明はヒーターが容易に分離、かつ装着されえる洗濯機を提供する。このために本発明は、ハウジングと、前記ハウジングの内部に設けられ、洗濯水を貯蔵する外槽と、前記洗濯水を加熱し、ヒーターが前記外槽の外部で着脱可能に前記外槽の内部に挿入されるように構成されるヒーターアセンブリとを備えることを特徴とする。
2005512742.tif 000002
【特許請求の範囲】
【請求項１】
ハウジングと、
前記ハウジングの内部に設けられ、洗濯水を貯蔵する外槽と、
前記洗濯水を加熱し、ヒーターが前記外槽の外部で着脱可能に前記外槽の内部に挿入されるように構成されるヒーターアセンブリと、
を備える洗濯機。
【請求項２】
前記ヒーターアセンブリは、
前記外槽の底面に形成されるキャビティと、
前記キャビティの側壁を介して前記キャビティの内部に配置されるヒーターと、
を含むことを特徴とする請求項１記載の洗濯機。
【請求項３】
前記ヒーターアセンブリは前記ヒーターが通過するように前記キャビティの側壁に形成される開口部を有することを特徴とする請求項２記載の洗濯機。
【請求項４】
前記キャビティは前記外槽の底面の周縁に形成されることを特徴とする請求項２記載の洗濯機。
【請求項５】
前記キャビティは前記外槽の半径方向に垂直に延長されることを特徴とする請求項４記載の洗濯機。
【請求項６】
前記キャビティは傾斜して形成される底面を有することを特徴とする請求項２記載の洗濯機。
【請求項７】
前記底面の傾斜角度は３°〜５°であることを特徴とする請求項６記載の洗濯機。
【請求項８】
前記キャビティは前記傾斜した底面の低部に形成され、使用された洗濯水を外部に排出する排水口を含むことを特徴とする請求項６記載の洗濯機。
【請求項９】
前記ヒーターは前記傾斜した底面の低部から高部に向かって挿入されることを特徴とする請求項６記載の洗濯機。
【請求項１０】
前記ヒーターは、
前記キャビティ内に位置し、熱を発生させる発熱部と、
前記加熱体に電源を印加するために前記加熱体と電気的に連結される端子部と、
を含むことを特徴とする請求項２記載の洗濯機。
【請求項１１】
前記加熱体は共通の平面内で多数回折り曲げられることを特徴とする請求項１０記載の洗濯機。
【請求項１２】
前記ヒーターは前記キャビティを密閉するように構成される密閉部をさらに含むことを特徴とする請求項１０記載の洗濯機。
【請求項１３】
前記密閉部は、
前記加熱部、及び端子部の間に介在し、前記キャビティを外部で閉鎖する仕上げ部材と、
前記加熱部、及び前記仕上げ板の間に備えられ、前記キャビティの開口部に押入される弾性部材と、
を含むことを特徴とする請求項１２記載の洗濯機。
【請求項１４】
前記密閉部は、前記弾性部材を拡張させるように構成される加圧メカニズムをさらに含むことを特徴とする請求項１３記載の洗濯機。
【請求項１５】
前記加圧メカニズムは、
前記弾性部材と当接するように位置する加圧板と、
前記加圧板と連結され、前記弾性部材、及び仕上げ部材を介して突出するスクリューと、
前記スクリューと噛み合い、前記加圧板が前記介在する弾性部材を加圧するように絞られるナットと、
を含むことを特徴とする請求項１４記載の洗濯機。
【請求項１６】
前記ヒーターアセンブリは、
前記キャビティの底面に形成されるボスと、
前記ボスに締結され、前記ヒーターを前記底面と所定の間隔に離隔するように支持するブラケットと、
を含むことを特徴とする請求項２記載の洗濯機。
【請求項１７】
前記ヒーターの熱がボスに伝達されないように前記ボスと前記ブラケットは、断熱材を介在して締結されることを特徴とする請求項１６記載の洗濯機。
【請求項１８】
洗濯水を貯蔵する洗濯機の外槽の底面に形成されるキャビティと、
前記キャビティの側壁を通じて前記キャビティの内部に配置されるヒーターとを備えており、
前記洗濯水を加熱し、かつ前記ヒーターが前記外槽の外部から着脱可能に前記外槽の内部に挿入されるように構成される洗濯機のヒーターアセンブリ。
【請求項１９】
前記ヒーターアセンブリは、前記ヒーターが通過するように前記キャビティの側壁に形成される開口部を有することを特徴とする請求項１８記載の洗濯機のヒーターアセンブリ。
【請求項２０】
前記キャビティは前記外槽の底面の周縁に形成されることを特徴とする請求項１８記載の洗濯機のヒーターアセンブリ。
【請求項２１】
前記キャビティは前記外槽の半径方向に垂直に延長されることを特徴とする請求項２０記載の洗濯機のヒーターアセンブリ。
【請求項２２】
前記キャビティは傾斜して形成される底面を有することを特徴とする請求項１８記載の洗濯機のヒーターアセンブリ。
【請求項２３】
前記底面の傾斜角度は３°〜５°であることを特徴とする請求項２２記載の洗濯機のヒーターアセンブリ。
【請求項２４】
前記キャビティは前記傾斜した底面の低部に形成され、使用された洗濯水を外部に排出する排水口を含むことを特徴とする請求項２２記載の洗濯機のヒーターアセンブリ。
【請求項２５】
前記ヒーターは、前記傾斜した底面の低部から高部に向かって挿入されることを特徴とする請求項２２記載の洗濯機のヒーターアセンブリ。
【請求項２６】
前記ヒーターは、
前記キャビティ内に位置し、かつ熱を発生させる発熱部と、
前記加熱体に電源を印加するために前記加熱体と電気的に連結される端子部と、
を含むことを特徴とする請求項１８記載の洗濯機のヒーターアセンブリ。
【請求項２７】
前記加熱体は共通の平面内で多数回折り曲げられることを特徴とする請求項２６記載の洗濯機のヒーターアセンブリ。
【請求項２８】
前記ヒーターは前記キャビティを密閉するように構成される密閉部をさらに含むことを特徴とする請求項２６記載の洗濯機のヒーターアセンブリ。
【請求項２９】
前記密閉部は、
前記加熱部、及び端子部の間に介在し、前記キャビティを外部で閉鎖する仕上げ部材と、
前記加熱部、及び前記仕上げ板の間に備えられ、前記キャビティの開口部に押入される弾性部材と、
を含むことを特徴とする請求項２８記載の洗濯機のヒーターアセンブリ。
【請求項３０】
前記密閉部は前記弾性部材を拡張させるように構成される加圧メカニズムをさらに含むことを特徴とする請求項２９記載の洗濯機のヒーターアセンブリ。
【請求項３１】
前記加圧メカニズムは、
前記弾性部材と当接するように位置する加圧板と、
前記加圧板と連結され、前記弾性部材、及び仕上げ部材を介して突出するスクリューと、
前記スクリューと噛み合い、前記加圧板が前記介在する弾性部材を加圧するように絞られるナットと、
を含むことを特徴とする請求項３０記載の洗濯機のヒーターアセンブリ。
【請求項３２】
前記キャビティの底面に形成されるボスと、
前記ボスに締結され、前記ヒーターを前記底面と所定の間隔に離隔するように支持するブラケットとを、
さらに含むことを特徴とする請求項１８記載の洗濯機のヒーターアセンブリ。
【請求項３３】
前記ヒーターの熱がボスに伝達されないように前記ボスと前記ブラケットは断熱材を介在して締結されることを特徴とする請求項３２記載の洗濯機のヒーターアセンブリ。
【発明の詳細な説明】
【技術分野】
【０００１】
本発明は洗濯機に関し、特に、前記洗濯機内に設けられ、洗濯水を加熱するヒーターアセンブリに関する。
【背景技術】
【０００２】
周知のように、温水を使用すると洗濯の効率を高められるため、洗濯時に洗濯機の外部から温水が供給されることが一般的である。しかし、最近は洗濯水を直接に加熱できるようにヒーターが洗濯機に提供されている。
【０００３】
かかるヒーターは殆どが洗濯水を貯蔵する外槽の内部に設けられ、前記外槽の底面上にブラケットなどを用いて固定される。より詳細には、前記ヒーターは洗濯水を均一に加熱するように前記外槽の底面に沿って円形に形成される。
【０００４】
前記ヒーターは洗濯中に洗濯物の種類のような洗濯条件にしたがって選択的に熱を発生させ、前記外槽に貯蔵された水を洗濯に適した所定の温度まで加熱する。そして、洗濯機は前記加熱された洗濯水を使用して洗濯物を適切に洗濯することができる。
【発明の開示】
【発明が解決しようとする課題】
【０００５】
しかしながら、前記ヒーターは、上述したように、前記外槽の底面に設けられるので、ヒーターの交換、或いは修理のためには、洗濯機のハウジングのみならず、前記外槽の内部に設けられる内槽、及び他の関連部品を分解しなければならない。このため、前記ヒーターの維持補修が容易ではなく、相当の時間が所要されるという問題がある。
【０００６】
そこで、本発明の目的は、ヒーターが容易に分離、かつ装着されえる洗濯機を提供することにある。
【課題を解決するための手段】
【０００７】
上記目的を達成するために、本発明による洗濯機は、ハウジングと、前記ハウジングの内部に設けられ、洗濯水を貯蔵する外槽と、前記洗濯水を加熱し、ヒーターが前記外槽の外部で着脱可能に前記外槽の内部に挿入されるように構成されるヒーターアセンブリとを備えることを特徴とする。
【０００８】
まず、前記ヒーターアセンブリは、前記外槽の底面に形成されるキャビティと、前記キャビティの側壁を介して前記キャビティの内部に配置されるヒーターを含み、好ましくは前記ヒーターが通過するように前記キャビティの側壁に形成される開口部を有する。
【０００９】
前記キャビティは前記外槽の底面の周縁に形成されることが好ましく、より好ましくは前記外槽の半径方向に垂直に延長される。
【００１０】
また、前記キャビティは傾斜して形成される底面を有することが好ましく、前記底面の傾斜角度は３°〜５°が適当である。
【００１１】
前記キャビティは前記傾斜した底面の低部に形成され、使用された洗濯水を外部に排出する排水口を含み、また、前記ヒーターは前記傾斜した底面の低部から高部に向かって挿入される。
【００１２】
前記ヒーターは、前記キャビティ内に位置し、熱を発生させる発熱部と、前記加熱体に電源を印加するために前記加熱体と電気的に連結される端子部とを含む。
【００１３】
前記加熱体は共通の平面内で多数回折り曲げられることが好ましい。
【００１４】
また好ましくは、前記ヒーターは前記キャビティを密閉するように構成される密閉部をさらに含む。このような密閉部は、前記加熱部、及び端子部の間に介在し、前記キャビティを外部で閉鎖する仕上げ部材と、前記加熱部、及び前記仕上げ板の間に備えられ、前記キャビティの開口部に押入される弾性部材とを含む。
【００１５】
前記密閉部は、加圧拡張密着前記弾性部材を拡張させるように構成される加圧メカニズムをさらに含むことが好ましく、このような前記加圧メカニズムは、前記弾性部材と当接するように位置する加圧板と、前記加圧板と連結され、前記弾性部材、及び仕上げ部材を介して突出するスクリューと、前記スクリューと噛み合い、前記加圧板が前記介在する弾性部材を加圧するように絞られるナットとを含む。
【００１６】
一方、前記ヒーターアセンブリは、前記キャビティの底面に形成されるボスと、前記ボスに締結され、前記ヒーターを前記底面と所定の間隔に離隔するように支持するブラケットとをさらに含むことが好ましい。
【００１７】
ここで、前記ヒーターの熱がボスに伝達されないように、前記ボスと前記ブラケットは断熱材を介在して締結されることがさらに好ましい。
【発明を実施するための最良の形態】
【００１８】
以下、本発明の好ましい実施形態を添付の図面に基づいて詳細に説明する。
【００１９】
図１は本発明による洗濯機を示す断面図であり、図２は本発明による洗濯機のヒーターアセンブリを外槽と共に示す斜視図であり、図３は本発明による洗濯機のヒーターアセンブリを洗濯槽の下部から見た分解斜視図である。
【００２０】
まず、図１に示すように、本発明による洗濯機は、全体的にハウジング１０と、そのハウジング１０の内部に設けられる外槽２０、及び内槽３０を備えている。
【００２１】
前記ハウジング１０は、各種の部品がその内部に設けられるように設計され、このような部品を保護する。そして、前記ハウジング１０は、洗濯機の上部に設けられるトップカバー１２と、そのトップカバー１２に備えられるドア１３とを含む。前記トップカバー１２にはユーザーの操作のためのコントロールパネルなどが設けられ、前記ドア１３を介してユーザーは前記洗濯機の内部に洗濯物を入れたり取り出したりする。
【００２２】
前記外槽２０は、前記キャビネット１０の内部に弾性的に固定され、洗濯時に前記内槽に一定に洗濯水を供給するために予備的に洗濯水を貯蔵する。より詳細には、図２に示すように、前記外槽２０の内部には洗濯水が貯蔵される空間２１が形成され、前記外槽２０の底面２２の中央には貫通孔２３が形成される。このような貫通孔２３を通じて前記内槽３０と連結される駆動軸が設けられる。また、前記外槽２０の外周面に沿って前記外槽２０とハウジング１０とを弾性的に連結するダンパーが設けられるシート部２４が形成される。
【００２３】
前記図１に示す内槽３０は、前記外槽２０の内部に回転可能に設けられる。また、前記内槽３０は、前記外槽２０との間に洗濯水が自由に流動できるように構成される。このような内槽３０の内部に洗濯物が入れられ、内槽３０の回転により洗濯される。一方、前記駆動部４０は、前記外槽２０、及び内槽３０の下部に位置して、前記内槽２０に回転のための動力を提供する。前記駆動部４０は、一般的にモーター、及びクラッチなどを含み、既述したように、前記内槽３０と駆動軸によって駆動可能に連結される。
【００２４】
このような洗濯機の作動中に洗濯物の種類、及び状態にしたがって暖かい温水の洗濯水が要求され、このために、本発明の洗濯機は、自体に温水の洗濯水を作ることができるヒーターアセンブリ１００を備える。かかる本発明のヒーターアセンブリ１００は、図２に示すように、前記外槽２０に設けられ、その外槽２０に貯蔵された洗濯水を所望の温度で加熱する。
【００２５】
図２を参照すると、前記ヒーターアセンブリ１００は、基本的に前記外槽２０の底面２２に形成されるキャビティ１１０と、そのキャビティ１１０内に配置されるヒーター１２０とを含む。また、前記ヒーターアセンブリ１００は、前記キャビティ１１０の側壁１１２の所定の部位に形成される開口部１３０を含む。
【００２６】
前記開口部１３０は、図３及び図４に示すように、前記キャビティ１１０と貯水槽２０の外部とを互いに連通させ、これにより、前記ヒーター１２０が前記外槽３０、より正確にはキャビティー１１０の内部に至るように通過させる。
【００２７】
したがって、前記ヒーターアセンブリ１００で前記ヒーター１２０は、前記外槽２０の外部で装着、及び着脱可能であるように前記外槽２０内に挿入される。
【００２８】
以下、かかるヒーターアセンブリ１００をより詳細に説明する。
【００２９】
まず、前記キャビティ１１０において、図２及び図３に示すように、底面１１１は、外槽２０の底面２２より低く形成され、このような底面２２，１１１の間には側壁１１２が連続的に延長される。前記キャビティ１１０は、好ましくは前記外槽２０の下部に設けられる部品、例えば、駆動部などとの干渉を避けるために前記底面２２の周縁に形成される。そして、前記キャビティ１１０は、なるべく長く形成されるように前記外槽２０の半径方向と直交する方向に延長される。したがって、前記キャビティ１１０は、部品と干渉しないながらもヒーター１２０の設置に適した大きさを有する。そして、このようなキャビティ１１０の配向にしたがって前記ヒーター１２０も前記外槽２０の半径方向に垂直な方向に挿入され、前記ヒーター１２０は他の方向に比べて前記半径に垂直な方向からの挿入がより容易である。
【００３０】
前記キャビティ１１０の底面１１１は、また、図４に示すように、傾斜して形成される。そして、このような傾斜した底面１１１の低部には排水口１１３が形成される。言い換えれば、前記キャビティ１１０の底面１１１は、前記排水口１１３の方向に下向きに傾斜する。前記排水口１１３は、使用された洗濯水を外槽２０の外部に排出するように、図示したように、外槽２０の下部、つまり、前記底面１１１を貫通して形成される。したがって、前記外槽３０内の洗濯水は傾斜した底面１１１の低点の排水口１１３を介してより円滑に排出されえる。そして、このような洗濯水の排水を考慮して、前記傾斜角度（θ）は３°〜５°が適当である。また、前記傾斜した底面１１１の低部に高部よりさらに大きい空間が形成されるので、前記ヒーター１２０も前記底面１１１の低部でより容易に挿入されえる。これにより、前記開口部１３０も前記排水口１１３に隣接して前記底面１１１の低部の近所の側壁に形成される。
【００３１】
前記ヒーター１２０は、図５に詳細に示すように、大きく加熱部１２１と端子１２２とを含んでいる。
【００３２】
前記加熱部１２１は、前記ヒーター１２０の多個所のうち実際に前記キャビティ１１０内に位置し、洗濯水を加熱するための熱を発生させる。このために、前記加熱部１２１には多様な加熱メカニズムが用いられるが、一般的にはホットワイヤからなる。また、好ましくは、前記加熱部１２１は、同一の平面上で多数回折り曲げられ、狭い空間で最大の熱を発生させる。
【００３３】
前記端子１２２は、前記加熱部１２１と電気的に連結され、図示したように、前記加熱部１２１の両先端に配置される。このような端子１２２は、前記外槽２０の外部に位置し、前記加熱部１２１に電気を供給するように電線を通じて再び外部の電源と連結される。
【００３４】
上述したように、前記外槽２０は洗濯水を貯蔵するので、貯蔵された洗濯水が漏洩しないように前記キャビティ１１０は密閉されなければならない。このために、前記ヒーター１２０は、前記キャビティ１１０、より正確には開口部１３０を密閉するように構成される密閉部をさらに含む。
【００３５】
前記密閉部は前記キャビティ１１０の内部の加熱部１２１と、前記キャビティの外部の端子１２２との間に介在する仕上げ部材１２３と、その仕上げ部材１２３と加熱部１２１との間に更に備えられる弾性部材１２４とを含む。より詳細には、前記仕上げ部材１２３は、図４に示すように、前記端子１２２と共に前記外槽２０の外部に位置し、前記開口部１３０を外槽２０の外部で閉鎖する。また、前記弾性部材１２４は、前記開口部１３０の対応する大きさを有し、弾性材質で形成される。これにより、前記弾性部材１２４は、前記開口部１３０内に押入され、洗濯水の漏洩を実質的に防止する。
【００３６】
また、キャビティ１１０をさらにきちんと密閉するために、前記密閉部は好ましくは加圧メカニズムをさらに含む。前記加圧メカニズムは、加圧板１２５ａ、前記加圧板１２５ａに連結されるスクリュー１２５ｂ、及び前記スクリュー１２５ｂと噛み合うナット１２５ｃを有する。前記加圧板１２５ａは、図５に示すように、前記弾性部材１２４の一面と当接するように位置し、前記スクリュー１２５ｂは、前記弾性部材１２４、及び仕上げ部材１２３を順に貫通して、前記端子１２２に向かって突出する。そして、前記ナット１２５ｃは、前記スクリュー１２５ｂの突出した部分と噛み合う。ここで、前記ナット１２５ｃが絞られると、前記ナット１２５ｃは前記仕上げ部材１２３に向いて進む。そして、前記ナット１２５ｃが前記仕上げ部材１２３と接触した後、前記ナット１２５ｃは前記仕上げ部材１２３によってそれ以上進行せず、その代わりに前記スクリュー１２５ｂと連結された加圧板１２５ａが前記仕上げ部材１２３に向かって移動する。このような加圧板１２５ａの移動によって前記弾性部材１２４は加圧され、これにより、自分の弾性によって拡張しながら前記開口部１３０をより安定的に密閉する。
【００３７】
一方、既述したように、前記開口部１３０に押入される弾性部材１２４によって前記ヒーター１２０はある程度安定的に支持される。しかし、前記ヒーター１２０をより安定的に支持するために、前記ヒーターアセンブリ１００は、図１及び図６に示すように、ボス１５０、及び前記ボス１５０に締結され、前記ヒーターアセンブリ１００を支持するブラケット１４０を更に有しえる。
【００３８】
図５を参照すると、前記ボス１５０は、前記キャビティ１１０の底面１１１上に所定の長さで突出する。そして、前記ボス１５０は、実際に前記ヒーター１２０の両側にそれぞれ備えられる。前記ブラケット１４０は、図示したように、前記加熱部１２１を支持するように加熱部１２１を横切って延長される。前記ブラケット１４０は、前記多数の折り曲げられた加熱部１２１の形状に合わせて折り曲げられ、前記加熱部１２１が動かないように支持しえる。また、前記ブラケット１４０の両先端部１４１は、前記ボス１５０に締結されるように貫通孔を含む。このような両先端部１４１は、締結部材１４３によって前記ボス１５０に締結される。したがって、前記ヒーター１２０は、前記キャビティ１１０内により安定的に支持される。また、前記ブラケット１４０によって前記加熱部１２１は、キャビティの底面１１１と所定の距離で一定に離隔するように、前記加熱部１２１の熱による合成樹脂で作られた底面１１１の変形が防止される。
【００３９】
一方、前記ブラケット１４０は、前記加熱部１２１の熱に耐えるよう金属で作られえる反面、前記ボス１５０は、一般に合成樹脂で作られる。したがって、加熱部１２１の熱が前記ブラケット１４０を通じて伝達され、前記ボス１５０を変形させえる。このような変形を防止するため、互いの締結時に前記ブラケット１４０の両先端１４１と、前記ボス１５０との間には断熱材１４２を介在させることが好ましい。
【００４０】
以下、上述した本発明の洗濯機のヒーターアセンブリで前記ヒーターの組立、及び分離過程を詳細に説明する。
【００４１】
まず、前記ヒーター１２０を組み立てる場合、前記ヒーター１２０の加熱部１２１が前記外槽２０の下部に前記キャビティ１１０と連通して形成された開口部１３０を介して前記キャビティ１１０の内部に徐々に進入する（図３及び図４参照）。このような挿入は前記仕上げ部材１２３が前記開口部１３０の周辺に掛かるまで行われる。挿入中に前記弾性部材１２４は前記開口部１３０に押入され、これにより、前記ヒーター１２０は前記キャビティ１１０、つまり、前記開口部１３０に固定される。したがって、前記加熱部１２１は、図４に示すように、所定の角度で傾斜した底面１１１とは平行に前記キャビティ１１０内に位置する。そして、前記加熱部１２１は、前記外槽２０の底面２２に対しては前記キャビティの底面１１１の傾斜角度（θ）だけ傾斜して設けられる。
【００４２】
このように組立が完了すると、前記仕上げ部材１２３は、前記開口部１３０の外部の周辺部に密着し、一次的に前記開口部１１０を閉鎖する。そして、前記弾性部材１２４は、前記開口部１３０の内面に密着し、前記開口部１１０を閉鎖する。したがって、前記このような仕上げ部材１２３、及び弾性部材１２４を含む密閉部により、前記ヒーター１０の組立と同時に前記キャビティ１１０は貯蔵された洗濯水が露出されないように密閉される。このような密閉部は、また、前記ヒーター１２０の安定的な固定を補助する役割も果たす。一方、前記加圧メカニズムが前記ヒーター１２０に適用されると、既述したように、前記ナット１２５ｃを絞ることで前記加圧板１２５ａが前記弾性部材１２４を加圧し、これにより、前記弾性部材１２４は、前記開口部１３０の内面方向に膨張する。したがって、前記キャビティ１１０はさらにきちんと密閉されるのみならず、前記ヒーター１１０もさらに堅固に固定される。
【００４３】
また、前記ヒーターアセンブリ１００が上述したブラケット１４０、及びボス１５０を有する場合、前記加熱部１２１は、前記キャビティ１１０の内部に進入しながら前記ブラケット１４０内に図６に示すように挿入される。ここで、前記ブラケット１４０は、組立の便利性のために、前記ボス１５０に既装着されることが好ましい。したがって、前記ヒーター１２０は、前記ブラケット１４０によって動かず、前記底面１１１と一定の距離を有するように安定的に支持される。
【００４４】
一方、前記ヒーター１２０は、上述のものと反対の過程を経て分解されえる。即ち、前記組み立てられたヒーター１２０を強く引っ張ることで、前記ヒーター１２０は前記キャビティ１１０から抜け出る。そして、前記加圧メカニズムが使用される場合、前記絞りナット３７を緩めると、前記弾性部材１２４は再収縮し、これにより、前記ヒーター１２０は前記キャビティ１１０から抜け出られる。
【００４５】
上述したように、全体的に前記ヒーターアセンブリ１００は、前記ヒーター１２０が外槽の外部からその内部のキャビティ１１０に挿入、又は着脱されえるようにするので、前記ヒーターは容易に組立、及び分解されえる。特に、同様な理由から、前記ヒーターアセンブリ１００によって前記ヒーター１２０の組立、及び分解は、内槽３０、及び関連部品が組み立てられた状態でも実行可能である。
【００４６】
また、前記ヒーターアセンブリ１００で前記キャビティ１１０は、前記外槽２０の底面２２より低い底面１１１を有するので、排水時に洗濯水は優先的に前記キャビティ１１０に流動する。そして、前記底面１１１は、前記排水口１１３に向いて傾斜するので、前記洗濯水はより円滑に排水されえる。
【００４７】
当業者においては、本発明の精神及び範囲を逸脱することなく、本発明の洗濯機に改良及び変形を加えられることが、明らかである。すなわち、本発明が、添付したクレームとその均等の範囲で、この発明の改良及び変形をカバーしていることを意味している。
【産業上の利用可能性】
【００４８】
以上で説明したように、本発明のヒーターアセンブリは、ヒーターが外槽の外部から挿入、又は着脱されるようにすることで、組立及び分解工程が容易に行われえる。尚、前記組立、及び分解工程は、他の関連部品を分解する必要がないので、さらに便利に行われえる。したがって、本発明はこのような容易な組立、及び分解作業によって、製作時や維持補修時に所要される時間を短縮させることができ、これにより、生産性の向上、及び費用節減を図れる。
【００４９】
さらに、前記キャビティ、及びこれに形成された排水口が前記外槽の底面より低く位置するので、洗濯水の排水がより効率的に行われえる。
【図面の簡単な説明】
【００５０】
【図１】図１は本発明による洗濯機を示す断面図である。
【図２】図２は本発明による洗濯機のヒーターアセンブリを外槽と共に示す斜視図である。
【図３】図３は本発明による洗濯機のヒーターアセンブリを洗濯槽の下部から見た分解斜視図である。
【図４】図４は本発明のヒーターアセンブリを示す部分断面図である。
【図５】図５は本発明のヒーターアセンブリのヒーターを示す斜視図である。
【図６】図６は本発明による洗濯機の外槽に装着されたヒーターを示す断面図である。
【図１】
2005512742.tif 000003
【図２】
2005512742.tif 000004
【図３】
2005512742.tif 000005
【図４】
2005512742.tif 000006
【図５】
2005512742.tif 000007
【図６】
2005512742.tif 000008
【国際調査報告】
2005512742.tif 000009
2005512742.tif 000010